(57)【特許請求の範囲】
【請求項１】
入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備え、弁口とピストンの間の出口側空間と出口とを隔てる隔壁筒を設け、隔壁筒に総開口面積が弁口面積と同等となる連通孔を等間隔に複数個形成したものにおいて、出口と直角方向の両側のみに連通孔を形成したことを特徴とするパイロット式スチームトラップ。
【発明の詳細な説明】
【技術分野】
【０００１】
本発明は、蒸気配管系に発生する復水を自動的に排出するスチームトラップに関し、特にパイロット弁の開閉によってピストンを動作させるようにしたパイロット式スチームトラップに関する。
【背景技術】
【０００２】
従来のパイロット式スチームトラップは、例えば特許文献１に開示されている。これは、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁口とピストンの間の出口側空間と出口とを隔てる隔壁筒を設け、隔壁筒に総開口面積が弁口面積と同等となる連通孔を等間隔に複数個形成したものである。
【先行技術文献】
【特許文献】
【０００３】
【特許文献１】特開２００９−２７５８５０
【発明の概要】
【発明が解決しようとする課題】
【０００４】
上記従来のパイロット式スチームトラップは、弁口とピストンの間の出口側空間と出口とを隔てる隔壁筒を設け、隔壁筒に総開口面積が弁口面積と同等となる連通孔を等間隔に複数個形成することにより、ピストンの傾斜を防止するものであるが、出口に対面する連通孔から流体が優先的に流出するためにピストンの傾斜を完全に防止することができず、改善の余地を残すものであった。
【０００５】
したがって本発明が解決しようとする課題は、ピストンが傾斜することを防止できるパイロット式スチームトラップを提供することである。
【課題を解決するための手段】
【０００６】
上記の課題を解決するために、本発明のパイロット式スチームトラップは、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁口とピストンの間の出口側空間と出口とを隔てる隔壁筒を設け、隔壁筒に総開口面積が弁口面積と同等となる連通孔を等間隔に複数個形成したものにおいて、出口と直角方向の両側のみに連通孔を形成したことを特徴とするものである。
【発明の効果】
【０００７】
本発明によれば、隔壁筒に形成する複数個の連通孔を出口と直角方向の両側のみに形成したことにより、弁口から出口に向かう排出復水が隔壁筒内でピストンに均等に作用しながら連通孔から出口に排出され、ピストンが傾斜することを防止できるという効果を奏する。
【図面の簡単な説明】
【０００８】
【図１】本発明の実施の形態に係わるパイロット式スチームトラップの断面図である。
【発明を実施するための形態】
【０００９】
以下、本発明の実施の形態について、図1を参照して説明する。本体１と本体１に固着された蓋２によりトラップケーシングが形成される。本体１に入口４と出口６が形成される。入口４と出口６は同一軸上に形成される。トラップケーシングの内部は仕切り壁３により入口４の連通する入口側空間５と出口６の連通する出口側空間７に仕切られる。入口側空間５の下部に異物捕捉用のスクリーン８が配置される。入口側空間５の上部にパイロット弁９が取付けられる。パイロット弁９は具体的な構造の図示を省略しているが、入口側空間５の温度に従って膨脹収縮する膨脹媒体によりダイヤフラムを変位せしめ、ダイヤフラムに連結した弁部材により下記の圧力室１０に連通する第１オリフィス１１を開閉するようにしたものである。
【００１０】
出口側空間７にシリンダ１２が配置される。入口側空間５と出口側空間７の間に弁座１３が配置される。入口側空間５と出口側空間７は弁座１３に開けられた弁口１４により連通される。シリンダ１２内に気密的に摺動するピストン１６が配置され、弁口１４の下方の入口側空間５側に弁口１４を開閉する弁体１７が配置される。弁体１７は弁棒部１８が弁座１３を貫通し、更にピストン１６を貫通して、ナット１９によりピストン１６に固定され、ピストン１６により駆動される。ピストン１６の弁口１４とは反対側の一面に形成された上方空間が圧力室１０を成し、第１オリフィス１１によって入口側空間５に連通している。また圧力室１０はピストン１６を貫通する第２オリフィス２０により出口側空間７に連通している。
【００１１】
弁口１４とピストン１６の間の出口側空間７と出口６とを隔てる隔壁筒２１を設け、隔壁筒２１に総開口面積が弁口面積と同等となる連通孔２２を出口６と直角方向の両側に紙面では手前側と向こう側に形成する。
【００１２】
上記実施例の作動は下記の通りである。始動時は入口側空間５が低温であり、パイロット弁９の開弁により第１オリフィス１１から圧力室１０に導入される低温流体により圧力室１０の圧力が高められ、ピストン１６が下方に変位し、これに伴って弁体１７が弁座１３から離座して弁口１４を開き、入口４からの復水を出口６へ排出する。弁口１４から出口６に向かう排出復水が隔壁筒２１内でピストン１６に均等に作用しながら連通孔２２から出口６に排出されるので、ピストン１６が傾斜することを防止できる。復水の排出により入口側空間５が高温になると、パイロット弁９が第１オリフィス１１を閉弁し、圧力室１０の圧力が第２オリフィス２０を通して次第に低下するので、圧力室１０の圧力によりピストン１６を下方に押し下げる力と、出口側空間７の圧力によりピストン１６を上方に押し上げる力は相殺されるが、入口側空間５の圧力により弁体１７を上方に押し上げる力が出口側空間７の圧力により弁体１７を下方に押し下げる力と重力によりピストン１６及び弁体１７を下方に押し下げる力との合力よりも大きいため、ピストン１６及び弁体１７は上方に移動し、弁体１７が弁口１４を塞ぐ。
【産業上の利用可能性】
【００１３】
本発明は、蒸気配管系に発生する復水を自動的に排出するパイロット式スチームトラップに利用することができる。
【符号の説明】
【００１４】
１  本体
２  蓋
４  入口
５  入口側空間
６  出口
７  出口側空間
９  パイロット弁
１０  圧力室
１１  第１オリフィス
１３  弁座
１４  弁口
１６  ピストン
１７  弁体
２０  第２オリフィス
２１  隔壁筒
２２  連通孔
【図１】
0005791915.tif 000002